(57)【要約】【課題】未濾過水を濾過手段の洗浄に有効活用し得、濾過手段の濾過機能の低下を妨げることができる液体分離装置を提供することを目的とする。【解決手段】本発明による液体分離装置１００は、液体Ｌを放出する放出手段１０２と、液体Ｌを濾過する濾過手段１０４とを備える。濾過手段１０４の少なくとも一部は、空気中に露呈している露呈部分１０６である。濾過手段１０４は、濾過手段１０４の露呈部分１０６において液体Ｌを濾過水Ｌ１と未濾過水Ｌ２とに分離する。濾過手段１０４の露呈部分１０６は、未濾過水Ｌ２によって洗浄される。【選択図】図１
2012030154.tif 000002
【特許請求の範囲】
【請求項１】
液体を放出する放出手段と、
前記液体を濾過する濾過手段と
を備えた液体分離装置であって、
前記濾過手段の少なくとも一部は、空気中に露呈している露呈部分であり、
前記濾過手段の前記露呈部分において、前記液体を濾過水と未濾過水とに分離し、
前記濾過手段の前記露呈部分は、前記未濾過水によって洗浄される、液体分離装置。
【請求項２】
前記濾過手段の前記露呈部分は、平面フィルタを含み、
前記放出手段は、前記液体を前記平面フィルタに対して垂直に放出する、請求項１に記載の液体分離装置。
【請求項３】
内部領域を有する管を更に備え
前記管の前記内部領域には、前記放出手段と前記濾過手段とが設けられ、
前記濾過手段は、前記管の前記内部領域を前記濾過水が流れる第１領域と前記未濾過水が流れる第２領域とに分割し、
前記放出手段は、前記第２領域から前記濾過手段の前記露呈部分に前記液体を放出する、請求項１または請求項２に記載の液体分離装置。
【請求項４】
前記濾過手段は、前記管から脱着可能である、請求項１から請求項３のうちの一項に記載の液体分離装置。
【請求項５】
前記濾過手段の少なくとも一部は、前記液体中Ｌに沈んでいる液中部分であり、
前記濾過手段の前記露呈部分によって前記液体の一部を濾過水と未濾過水とに分離し、
前記濾過手段の前記液中部分によって前記液体の他の一部と前記未濾過水とを濾過する、請求項１から請求項４のうちの一項に記載の液体分離装置。
【請求項６】
前記放出手段は、前記濾過手段の前記露呈部分に前記液体を放出し、
前記液体が前記濾過手段の前記露呈部分に接触することによって、前記濾過手段が振動する、請求項１から請求項５のうちの一項に記載の液体分離装置。
【請求項７】
前記濾過手段の前記露呈部分は、ヒダ付きフィルタを含み、
前記放出手段は、前記液体を前記ヒダ付きフィルタに対して放出する、請求項１から請求項６のうちの一項に記載の液体分離装置。
【請求項８】
前記放出手段は、前記ヒダ付きフィルタの前記ヒダに対して前記液体を放出し、
前記液体が前記ヒダ付きフィルタの前記ヒダに接触することによって、前記ヒダ付きフィルタが振動する、請求項７に記載の液体分離装置。
【請求項９】
空気中に露呈している露呈部分を有する濾過手段を用いた液体分離方法であって、
液体を放出する放出ステップと、
前記液体を濾過する濾過ステップと
を包含し、
前記濾過ステップは、前記濾過手段の前記露呈部分において、前記液体を濾過水と未濾過水とに分離することによって実行され、
前記濾過手段の前記露呈部分を前記未濾過水によって洗浄する洗浄ステップを更に包含する、液体分離方法。
【発明の詳細な説明】
【技術分野】
【０００１】
本発明は、液体を放出する放出手段と液体を濾過する濾過手段とを備えた液体分離装置及び液体分離方法に関する。
【背景技術】
【０００２】
特許文献１では、液中に設置されたフィルタ装置が開示されている。フィルタ装置の全てが、濾過対象となる液体中に設けられており、フィルタ装置は、液体中で濾過機能を発揮する。
【先行技術文献】
【特許文献】
【０００３】
【特許文献１】特開２００６−３４１１６６号公報
【発明の概要】
【発明が解決しようとする課題】
【０００４】
現在も、フィルタ装置の濾過機能を高めるべく研究・開発が推進されているが、特許文献１に開示のフィルタ装置とは異なる環境下に設置されたフィルタ装置の濾過機能についても、並行して研究・開発されている。
【０００５】
本発明は、特許文献１で開示されたフィルタ装置と同様に、液体を濾過水と未濾過水とに分離するものであるが、未濾過水を濾過手段の洗浄に有効活用し得、濾過手段の濾過機能の低下を妨げることができる液体分離装置及び液体分離方法を提供することを目的とする。
【課題を解決するための手段】
【０００６】
上記課題を解決するために、本発明に係る液体分離装置の特徴構成は、液体を放出する放出手段と、液体を濾過する濾過手段とを備えた液体分離装置であって、濾過手段の少なくとも一部は、空気中に露呈している露呈部分であり、濾過手段の露呈部分において、液体を濾過水と未濾過水とに分離し、濾過手段の露呈部分は、未濾過水によって洗浄されるところにある。
上述のように、背景技術によれば、液体中で液体を濾過していた。その結果、未濾過水は濾過前の液体に混じっていた。一方、本発明に係る液体分離装置によれば、濾過手段の露呈部分において液体を濾過水と未濾過水とに分離し、濾過手段の露呈部分は未濾過水によって洗浄される。従って、未濾過水が濾過前の液体に混じる前に未濾過水を濾過手段の洗浄に有効活用し得、その結果、濾過手段の濾過機能の低下を妨げることができる。
【０００７】
本発明の液体分離装置の好適な態様によれば、濾過手段の露呈部分は、平面フィルタを含み、放出手段は、液体を平面フィルタに対して垂直に放出する。従って、平面フィルタに対して最も効率よく液体の放出圧力がかかる。その結果、液体を効率よく濾過しつつ、未濾過水によって濾過手段を洗浄することができる。
【０００８】
本発明の液体分離装置の好適な態様によれば、内部領域を有する管を更に備え、管の内部領域には、放出手段と濾過手段とが設けられ、濾過手段は、管の内部領域を濾過水が流れる第１領域と未濾過水が流れる第２領域とに分割し、放出手段は、第２領域から濾過手段の露呈部分に液体を放出する。この構成は、排水管の内部構造に適応できる。従って、排水管内部においても、未濾過水が濾過前の液体に混じる前に未濾過水を濾過手段の洗浄に有効活用し得、その結果、濾過手段の濾過機能の低下を妨げることができる。
【０００９】
本発明の液体分離装置の好適な態様によれば、濾過手段は、管から脱着可能である。従って、未濾過水による洗浄でも濾過手段の濾過機能の低下を妨げることができなくなれば、濾過手段を管から外し、別の濾過手段に取り換えることができる。特に、濾過手段を消耗品として位置づけ得、濾過機能が低下した濾過手段を新品の濾過手段にクイックチェンジし得る。
【００１０】
本発明の液体分離装置の好適な態様によれば、濾過手段の少なくとも一部は、液中に沈んでいる液中部分であり、濾過手段の露呈部分によって液体の一部を濾過水と未濾過水とに分離し、濾過手段の液中部分によって液体の他の一部と未濾過水とを濾過する。従って、濾過手段の露呈部分でも、濾過手段の液中部分でも、液体を濾過し得る。その結果、未濾過水が濾過前の液体に混じる前に未濾過水を濾過手段の洗浄に有効活用し得、濾過手段の濾過機能の低下を妨げることができるとともに、濾過効率を更に向上することができる。
【００１１】
本発明の液体分離装置の好適な態様によれば、放出手段は、濾過手段の露呈部分に液体を放出し、液体が濾過手段の露呈部分に接触することによって、濾過手段が振動する。濾過手段の振動によって、濾過手段に付着した微粒子を濾過手段から剥がし、濾過手段の洗浄効果を高めることができる。
【００１２】
本発明の液体分離装置の好適な態様によれば、濾過手段の露呈部分は、ヒダ付きフィルタを含み、放出手段は、液体をヒダ付きフィルタに対して放出する。ヒダ部分の構造は、平面部分の構造と比較して、強度が固い。従って、強度アップのため平面部分に設けられていたバックアップメタルがヒダ付きフィルタには不要となる。その結果、濾過率がアップする。
【００１３】
本発明の液体分離装置の好適な態様によれば、放出手段は、ヒダ付きフィルタのヒダに対して液体を放出し、液体がヒダ付きフィルタのヒダに接触することによって、ヒダ付きフィルタが振動する。このように、液体がヒダ付きフィルタのヒダに接触することによってヒダが液体によって弾かれ、ヒダ付きフィルタが振動する。従って、平面フィルタに液体が接触することによって生じる振動よりも大きな振動が生じる。その結果、濾過手段に付着した微粒子を効率よく濾過手段から剥がすことができ、濾過手段の洗浄効果を更に高めることができる。
【００１４】
本発明に係る液体分離方法によれば、上記説明した本発明の液体分離装置と同様の作用効果を得ることができる。すなわち、本発明の液体分離方法は、空気中に露呈している露呈部分を有する濾過手段を用いた液体分離方法であって、液体を放出する放出ステップと、液体を濾過する濾過ステップとを包含し、濾過ステップは、濾過手段の露呈部分において、液体を濾過水と未濾過水とに分離することによって実行され、濾過手段の露呈部分を未濾過水によって洗浄する洗浄ステップを更に包含する。従って、未濾過水が濾過前の液体に混じる前に未濾過水を濾過手段の洗浄に有効活用し得、その結果、濾過手段の濾過機能の低下を妨げることができる。
【図面の簡単な説明】
【００１５】
【図１】本発明の実施形態１に係る液体分離装置１００の模式図である。
【図２】本発明の実施形態２に係る液体分離装置２００の模式図である。
【図３】本発明の実施形態３に係る液体分離装置３００の模式図である。
【図４】ヒダ付きフィルタの模式図を示す。
【発明を実施するための形態】
【００１６】
図１〜図４を参照して、本発明の液体分離装置及び液体分離方法に関する実施形態を説明する。本発明は、以下に説明する実施形態や図面に記載される構成に限定されることを意図せず、当該構成と均等な構成も含む。
【００１７】
［実施形態１］
図１は、本発明の実施形態１に係る液体分離装置１００の模式図である。液体分離装置１００は、液体Ｌを放出する放出手段１０２と、液体Ｌを濾過する濾過手段１０４とを備える。濾過手段１０４の少なくとも一部は、空気中に露呈している露呈部分１０６である。濾過手段１０４は、濾過手段１０４の露呈部分１０６において液体Ｌを濾過水Ｌ１と未濾過水Ｌ２とに分離する。液体分離装置１００は、濾過水タンク１０８と未濾過水タンク１１０とポンプ１１２とを更に含む。
【００１８】
液体Ｌは、例えば、工作機械の切削液である。切削液は、スラッジと切削油（又は水）とを含む。液体Ｌを濾過水Ｌ１と未濾過水Ｌ２とに分離した場合、未濾過水Ｌ２に含まれるスラッジの割合は、液体Ｌに含まれるスラッジの割合よりも大きくなる。濾過水Ｌ１に含まれるスラッジの割合は、液体Ｌに含まれるスラッジの割合よりも小さくなる。
【００１９】
放出手段１０２は、液体タンク１０２ａと放出パイプ１０２ｂとを含む。放出パイプ１０２ｂは、複数のパイプを含む。
【００２０】
液体タンク１０２ａには液体Ｌや未濾過水Ｌ２が蓄えられ、液体タンク１０２ａに蓄えられた液体Ｌや未濾過水Ｌ２が、複数のパイプの各々から濾過手段１０４の露呈部分１０６に放出される。
【００２１】
濾過手段１０４は、例えば平面フィルタである。濾過手段１０４の露呈部分１０６は、平面フィルタの一部である。液体Ｌは放出手段１０２から平面フィルタに対して垂直に放出される。濾過手段１０４の素材として、例えば、株式会社東レによって製造されたポリエステル製不織布（例えば、アクスター（登録商標）Ｇ２２６０−１Ｓ）をもちい得る。
【００２２】
濾過手段１０４によって分離された濾過水Ｌ１は、濾過水タンク１０８に蓄えられる。濾過手段１０４によって分離された未濾過水Ｌ２は、未濾過水タンク１１０に蓄えられる。未濾過水タンク１１０に蓄えられた未濾過水Ｌ２は、ポンプ１１２によって未濾過水タンク１１０から吸い上げられ、液体タンク１０２ａに吐出される。ポンプ１１２は、例えば１００リットル／分で未濾過水Ｌ２を吸い上げ、放出パイプ１０２ｂは、例えば１００リットル／分で液体Ｌや未濾過水Ｌ２を放出する。
【００２３】
放出パイプ１０２ｂから放出された液体Ｌは、濾過手段１０４の露呈部分１０６で濾過水Ｌ１と未濾過水Ｌ２とに分離され、放出パイプ１０２ｂから放出された未濾過水Ｌ２は、濾過手段１０４の露呈部分１０６で更に濾過水と未濾過水とに分離される。未濾過水は、濾過手段１０４の露呈部分１０６を伝い、露呈部分１０６に付着している微粉末を露呈部分１０６から洗い流す。このように、濾過手段１０４の露呈部分１０６は、未濾過水Ｌ２によって洗浄される。
【００２４】
本発明に係る液体分離装置１００によれば、濾過手段１０４の露呈部分１０６において液体Ｌを濾過水Ｌ１と未濾過水Ｌ２とに分離し、濾過手段１０４の露呈部分１０６は未濾過水Ｌ２によって洗浄される。従って、未濾過水Ｌ２が濾過前の液体Ｌに混じる前に未濾過水Ｌ２を濾過手段１０４の洗浄に有効活用し得、その結果、濾過手段１０４の濾過機能の低下を妨げることができる。
【００２５】
さらに、本発明の液体分離装置１００の好適な態様によれば、濾過手段１０４の露呈部分１０６は平面フィルタを含み、放出手段１０２は、液体Ｌを平面フィルタに対して垂直に放出する。従って、平面フィルタに対して最も効率よく液体の放出圧力がかかる。その結果、液体Ｌを効率よく濾過しつつ、未濾過水Ｌ２によって濾過手段１０４を洗浄することができる。
【００２６】
なお、放出手段１０２が液体を放出し得る限りは、放出手段１０２が平面フィルタに対して液体Ｌを放出する角度は垂直に限定されない。液体Ｌを放出する角度は平面フィルタに対して鋭角でも鈍角でもあり得る。また、放出パイプ１０２ｂが液体を放出し得る限りは、放出パイプ１０２ｂが複数のパイプを含む場合に限定されない。放出パイプ１０２ｂは一つのパイプを含み得る。更に、複数のパイプの各々が液体を放出する場所は、濾過手段１０４の露呈部分１０６のうちの特定部分でも、露呈部分１０６のうちの異なった部分でもあり得る。
【００２７】
［実施形態２］
図２は、本発明の実施形態２に係る液体分離装置２００の模式図である。液体分離装置２００は、放出手段１０２と、濾過手段１０４とを備える。放出手段１０２は、液体タンク１０２ａと放出パイプ１０２ｂとを含む。濾過手段１０４の少なくとも一部は、空気中に露呈している露呈部分１０６である。濾過手段１０４の露呈部分１０６において、液体Ｌを濾過水Ｌ１と未濾過水Ｌ２とに分離し、濾過手段１０４の露呈部分１０６は、未濾過水Ｌ２によって洗浄される。
【００２８】
放出手段１０２、液体タンク１０２ａ、放出パイプ１０２ｂ及び濾過手段１０４の各構成要素は、実施形態１で説明した液体分離装置１００に含まれた対応する各構成要素と同様の機能を有するので、これらの説明を省略する。
【００２９】
液体分離装置２００は、内部領域２０４を有する管２０２を更に備える。管２０２の内部領域２０４には、放出手段１０２と濾過手段１０４とが設けられている。濾過手段１０４は、管２０２の内部領域２０４を濾過水Ｌ１が流れる第１領域２０６と未濾過水Ｌ２が流れる第２領域２０８とに分割する。放出手段１０２は、第２領域２０８から濾過手段１０４の露呈部分１０６に液体Ｌを放出する。
【００３０】
管２０２は、第１固定具２１０と第２固定具２１２とを含む。濾過手段１０４を第１固定具２１０と第２固定具２１２とで挟むことで、濾過手段１０４を管２０２に固定する。第１固定具２１０と第２固定具２１２とによる濾過手段１０４に対する挟力を緩めることで、濾過手段１０４を管２０２から取り除くことができる。
【００３１】
本発明の液体分離装置２００の構成は、排水管の内部構造に適応できる。従って、排水管内部においても、未濾過水が濾過前の液体に混じる前に未濾過水を濾過手段の洗浄に有効活用し得、その結果、濾過手段の濾過機能の低下を妨げることができる。
【００３２】
本発明の液体分離装置２００の好適な態様によれば、濾過手段１０４は、管２０２から脱着可能である。従って、未濾過水Ｌ２による洗浄でも濾過手段１０４の濾過機能の低下を妨げることができなくなれば、濾過手段１０４を管２０２から外し、別の濾過手段に取り換えることができる。特に、濾過手段１０４を消耗品として位置づけ得、濾過機能が低下した濾過手段を新品の濾過手段にクイックチェンジし得る。
【００３３】
なお、濾過手段１０４を管２０２から脱着し得る限りは、第１固定具２１０と第２固定具２１２とを用いることに限らない。例えば、管２０２の一部に空間を設け、この空間に濾過手段１０４を直接挟むことで濾過手段１０４を管２０２に固定し得る。
【００３４】
［実施形態３］
図３は、本発明の実施形態３に係る液体分離装置３００の模式図である。（ａ）は液体分離装置３００の側面を示し、（ｂ）は、図３（ａ）のａ−ａ’線に沿った断面を示す。液体分離装置３００は、放出手段１０２と、濾過手段３０２と、モータ３０８と、タンク３１０と、パイプ３１２とを備える。放出手段１０２は、液体タンク１０２ａと放出パイプ１０２ｂとを含む。
【００３５】
放出手段１０２、液体タンク１０２ａ、放出パイプ１０２ｂ、ポンプ１１２の各構成要素は、実施形態１で説明した液体分離装置１００に含まれた対応する各構成要素と同様の機能を有するので、これらの説明を省略する。
【００３６】
濾過手段３０２は、例えばドラム型フィルタを有する。ドラムの直径は約３５０ｍｍである。フィルタの素材は、液体分離装置１００の平面フィルタの素材と同じである。濾過手段３０２の少なくとも一部は、空気中に露呈している露呈部分３０４である。濾過手段３０２の少なくとも一部は、液中に沈んでいる液中部分３０６である。露呈部分３０４と液中部分３０６との面積比は、例えば１：２である。
【００３７】
モータ３０８は、濾過手段３０２を回転させる。回転速度は、例えば周速１０００ｍｍ／分以下である。ここで、周速とは、回転している物体の最大半径位置における速さを示す。ドラムの回転数をｎ、ドラムの最大半径をＲとすると、周速＝２πＲ×ｎで示される。回転速度が所望の速度より速いと、放出手段１０２から放出された液体を濾過手段３０２の表面で弾き飛ばすことになり、濾過機能の低減をまねく。なお、本発明の実施形態において、モータ３０８の回転速度は任意であり、回転しない場合（回転速度がゼロの場合）もあり得る。
【００３８】
タンク３１０は、液体Ｌや未濾過水Ｌ２を蓄える。パイプ３１２は、ドラム型フィルタの径の中心に位置し、濾過水Ｌ１をタンク３１０の外部に導く。
【００３９】
濾過手段３０２の露呈部分３０４において、液体Ｌを濾過水Ｌ１と未濾過水Ｌ２とに分離し、濾過手段３０２の液中部分３０６によって液体Ｌと未濾過水Ｌ２とを濾過する。濾過手段３０２の露呈部分３０４は、未濾過水Ｌ２によって洗浄される。さらに、濾過手段３０２の液中部分３０６は、タンク３１０に蓄えられた液体Ｌや未濾過水Ｌ２によって洗浄される。
【００４０】
露呈部分３０４と液中部分３０６との面積比は、１：２に限定されない。濾過手段３０２が露呈部分３０４と液中部分３０６とを有する場合は、その面積比は限定されない。パイプ３１２が液体中に沈む程度に液中部分３０６が広い場合には、濾過手段３０２の液中部分３０６への液圧が大きくなるため、濾過手段３０２の液中部分３０６における液体Ｌと未濾過水Ｌ２との濾過効率が向上する。
【００４１】
本発明の液体分離装置３００の好適な態様によれば、濾過手段３０２の少なくとも一部は、液中に沈んでいる液中部分３０６であり、濾過手段３０２の露呈部分３０４によって液体の一部を濾過水Ｌ１と未濾過水Ｌ２とに分離し、濾過手段３０２の液中部分３０６によって液体の他の一部と未濾過水とを濾過する。従って、濾過手段３０２の露呈部分３０４でも、濾過手段３０２の液中部分３０６でも、液体を濾過し得る。その結果、未濾過水が濾過前の液体に混じる前に未濾過水を濾過手段３０２の洗浄に有効活用し得、濾過手段３０２の濾過機能の低下を妨げることができるとともに、濾過効率を更に向上することができる。
【００４２】
以上、図１から図３を参照して実施形態１〜実施形態３を説明した。液体分離装置１００、液体分離装置２００及び液体分離装置３００において、放出手段１０２は、濾過手段１０４の露呈部分１０６又は濾過手段３０２の露呈部分３０４に液体を放出するが、液体が濾過手段の露呈部分に接触することによって、濾過手段１０４又は濾過手段３０２が振動し得る。例えば、単位時間当たりの放出量を変化させることによって、濾過手段１０４又は濾過手段３０２が振動し得る。また、ポンプの脈動によっても、単位時間当たりの放出量が変化し、濾過手段１０４又は濾過手段３０２が振動し得る。
【００４３】
本発明の液体分離装置１００、液体分離装置２００及び液体分離装置３００の好適な態様によれば、放出手段１０２は、濾過手段１０４、３０２の露呈部分１０６、３０４に液体を放出し、液体が濾過手段１０４、３０２の露呈部分１０６、３０４に接触することによって、濾過手段１０４、３０２が振動する。濾過手段１０４、３０２の振動によって、濾過手段１０４、３０２に付着した微粒子を濾過手段１０４、３０２から剥がし、濾過手段１０４、３０２の洗浄効果を高めることができる。
【００４４】
［実施形態４］
図４は、ヒダ付きフィルタの模式図を示す。（ａ）は、平面フィルタの表面にヒダがついたヒダ付き平面フィルタ１０４’の模式図を示す。（ｂ）は、ドラム型フィルタの表面にヒダがついたヒダ付きドラム型フィルタ３０２’の模式図を示す。
【００４５】
本発明の液体分離装置１００及び液体分離装置２００において、濾過手段１０４は、例えばヒダ付き平面フィルタ１０４’である。濾過手段１０４の露呈部分１０６は、ヒダ付き平面フィルタ１０４’の一部である。放出手段１０２は、液体をヒダ付き平面フィルタ１０４’に対して放出する。本発明の液体分離装置３００において、濾過手段３０２は、例えばヒダ付きドラム型フィルタ３０２’である。濾過手段３０２の露呈部分３０４は、ヒダ付きドラム型フィルタ３０２’の一部である。放出手段１０２は、液体をヒダ付きドラム型フィルタ３０２’に対して放出する。
【００４６】
本発明の液体分離装置１００及び液体分離装置２００の好適な態様によれば、濾過手段の露呈部分は、ヒダ付きフィルタを含み、放出手段は、液体をヒダ付きフィルタに対して放出する。ヒダ部分の構造は、平面部分の構造と比較して、強度が固い。従って、強度アップのため平面部分に設けられていたバックアップメタル（例えば、ステンレス製のパンチングメタル）がヒダ付きフィルタには不要となる。その結果、濾過率がアップする。また、隣接するヒダの間（ヒダとヒダとの空間）に対して放出手段１０２から液体が放出された場合は、ヒダの奥に当たる液体の水圧が大きくなる。ヒダの奥に向かって空間が先細りしているためである。その結果、濾過率がアップする。
【００４７】
本発明の液体分離装置１００及び液体分離装置２００において、放出手段１０２は、ヒダ付き平面フィルタ１０４’のヒダに対して液体を放出し、液体がヒダ付き平面フィルタ１０４’のヒダに接触することによって、ヒダ付き平面フィルタ１０４’が振動する。本発明の液体分離装置３００において、放出手段１０２は、ヒダ付きドラム型フィルタ３０２’のヒダに対して液体を放出し、液体がヒダ付きドラム型フィルタ３０２’のヒダに接触することによって、ヒダ付きドラム型フィルタ３０２’が振動する。
【００４８】
本発明の液体分離装置の好適な態様によれば、放出手段は、ヒダ付きフィルタのヒダに対して液体を放出し、液体がヒダ付きフィルタのヒダに接触することによって、ヒダ付きフィルタが振動する。このように、液体がヒダ付きフィルタのヒダに接触することによってヒダが液体によって弾かれ、ヒダ付きフィルタが振動する。従って、平面フィルタに液体が接触することによって生じる振動よりも大きな振動が生じる。その結果、濾過手段に付着した微粒子を効率よく濾過手段から剥がすことができ、濾過手段の洗浄効果を更に高めることができる。
【符号の説明】
【００４９】
Ｌ        液体
Ｌ１      濾過水
Ｌ２      未濾過水
１００    液体分離装置
１０２    放出手段
１０４    濾過手段
１０６    露呈部分
２００    液体分離装置
２０４    内部領域
２０２    管
２０６    第１領域
２０８    第２領域
３００    液体分離装置
１０４’  ヒダ付きフィルタ
３０２’  ヒダ付きフィルタ
【図１】
2012030154.tif 000003
【図２】
2012030154.tif 000004
【図３】
2012030154.tif 000005
【図４】
2012030154.tif 000006